(57)【要約】【課題】無線通信システムにおいてパケットヘッダを設定する方法及び装置を提供する。【解決手段】方法は、「ヘッダ拡張タイプフィールドの特殊値使用」モードを起動する段階と、ＰＤＵの最後のオクテットがＳＤＵ（サービスデータユニット）の最後のオクテットであって、かつ当該ＰＤＵに相互に連結されたＳＤＵが含まれない場合に、ヘッダ拡張タイプフィールドをＰＤＵの最後のオクテットがＳＤＵの最後のオクテットであることを示すものとして設定する段階とを含む。【選択図】図３
2008289159.tif 000002
【特許請求の範囲】
【請求項１】
無線通信システムのＲＬＣ（無線リンク制御）層においてＰＤＵ（プロトコルデータユニット）のヘッダを設定する方法であって、
当該ヘッダはヘッダ拡張タイプフィールドを含み、
当該方法は、「ヘッダ拡張タイプフィールドの特殊値使用」モードを起動する段階と、ＰＤＵの最後のオクテットがＳＤＵ（サービスデータユニット）の最後のオクテットであって、かつ当該ＰＤＵに相互に連結されたＳＤＵが含まれない場合に、ヘッダ拡張タイプフィールドをＰＤＵの最後のオクテットがＳＤＵの最後のオクテットであることを示すものとして設定する段階とを含む、ＰＤＵヘッダの設定方法。
【請求項２】
前記ＲＬＣ層はＡＭ（アクノレッジ）モードで動作する、請求項１に記載のＰＤＵヘッダの設定方法。
【請求項３】
前記ヘッダ拡張タイプフィールドをＰＤＵの最後のオクテットがＳＤＵの最後のオクテットであることを示すものとして設定する段階では、ヘッダ拡張タイプフィールドの値を「１０」に設定する、請求項１に記載のＰＤＵヘッダの設定方法。
【請求項４】
無線通信システムにおいてＲＬＣ  ＰＤＵのヘッダを正確に設定するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、
前記プログラムコードは、「ヘッダ拡張タイプフィールドの特殊値使用」モードを起動するコードと、ＰＤＵの最後のオクテットがＳＤＵの最後のオクテットであって、かつ当該ＰＤＵに相互に連結されたＳＤＵが含まれない場合に、ヘッダ拡張タイプフィールドをＰＤＵの最後のオクテットがＳＤＵの最後のオクテットであることを示すものとして設定するコードとを含む、通信装置。
【請求項５】
前記ＲＬＣ層はＡＭモードで動作する、請求項４に記載の通信装置。
【請求項６】
前記ヘッダ拡張タイプフィールドをＰＤＵの最後のオクテットがＳＤＵの最後のオクテットであることを示すものとして設定するコードでは、ヘッダ拡張タイプフィールドの値を「１０」に設定する、請求項４に記載の通信装置。
【発明の詳細な説明】
【技術分野】
【０００１】
本発明は無線通信システムにおいてパケットヘッダを設定する方法及び装置に関し、特に無線通信システムにおいて伝送データ量を節減し、受信端でＳＤＵ（サービスデータユニット）を誤って再組み立てすることを回避する方法及び装置に関する。
【背景技術】
【０００２】
第三世代移動通信技術はＷＣＤＭＡ（広帯域時分割多元接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。
【０００３】
第三世代移動通信システムのＡＳ（アクセスストラタム）はＲＲＣ（無線資源制御）、ＲＬＣ（無線リンク制御）、ＭＡＣ（媒体アクセス制御）、ＰＤＣＰ（パケットデータコンバージェンスプロトコル）、ＢＭＣ（ブロードキャスト／マルチキャスト制御）など機能が異なった複数の副層を含み、その動作については当業者に周知のため、ここで説明を省略する。そのうちＲＬＣ層は第三世代移動通信システムの送信品質に対応した処理を提供し、種々の送信品質に応じて送信対象のデータまたは制御指令に対してセグメント化、再組み立て（リアセンブリー）、連結、パッディング、再送、シーケンスチェック、重複検出などの処理を行う。ＭＡＣ層はＲＲＣ層の無線資源割当指令に従って、ＲＬＣ層の複数の論理チャネルからのパケットをそれぞれ通常、共用、専用などのトランスポートチャネルに対応させ、チャネルマッピング、多重化、トランスポートフォーマット選択、ランダムアクセス制御などの処理を行う。
【０００４】
ＲＬＣ層がＡＭ（アクノレッジ）モードで動作する場合、ＲＬＣ  ＰＤＵ（プロトコルデータユニット）のヘッダは、次のオクテットがデータか、長さ指示フィールドと拡張ビットフィールドかを示す２ビットのヘッダ拡張タイプフィールドを含み、その値の定義については以下のとおりである。
１．「００」：次のオクテットがデータであることを示す。
２．「０１」：次のオクテットが長さ指示フィールドと拡張ビットフィールドであることを示す。
３．「１０」と「１１」：意味なし。プロトコルエラーが発生したことを示し、対応するＰＤＵは廃棄される。
【０００５】
所要の送信データ量を減少するために、従来の技術ではヘッダ拡張タイプフィールド値「１０」を以下のように定義する。つまり、「ヘッダ拡張タイプフィールドの特殊値使用（ｕｓｅ  ｏｆ  ｔｈｅ  ｓｐｅｃｉａｌ  ｖａｌｕｅ  ｏｆ  ｔｈｅ  ｈｅａｄｅｒ  ｅｘｔｅｎｓｉｏｎ  ｔｙｐｅ  ｆｉｅｌｄ）」モードの起動時、「１０」は次のオクテットがデータであって、ＳＤＵが対応するＰＤＵ（プロトコルデータユニット）の終了位置に終わることを示す。言い換えれば、「ヘッダ拡張タイプフィールドの特殊値使用」モードの起動時、ＰＤＵに完全なＳＤＵまたはＳＤＵのセグメントが含まれ、この完全なＳＤＵまたはセグメントがちょうどＰＤＵの終了位置に終わるとすれば、ヘッダ拡張タイプフィールドを「１０」に設定する。そうすると、他のＰＤＵで対応する長さ指示フィールドを送信する必要がなく、伝送データ量は節減される。
【０００６】
したがって、「ヘッダ拡張タイプフィールドの特殊値使用」モードの起動時、ヘッダ拡張タイプフィールドの値が「１０」である場合は、ＰＤＵに相互に連結されたＳＤＵが含まれないことを示す。しかし、従来の技術では、「ヘッダ拡張タイプフィールドの特殊値使用」モードの起動時、ＰＤＵの最後のオクテットがＳＤＵの最後のオクテットであった場合に、当該ＰＤＵのヘッダ拡張タイプフィールドをＰＤＵの最後のオクテットがＳＤＵの最後のオクテットであることを示すものとして設定する。そうすれば、「ヘッダ拡張タイプフィールドの特殊値使用」モードの起動時、ＰＤＵに相互に連結されたＳＤＵが含まれ、かつ最後のＳＤＵがＰＤＵの終了位置に終われば、従来の技術では当該ＰＤＵのヘッダ拡張タイプフィールドをＰＤＵの最後のオクテットがＳＤＵの最後のオクテットであることを示すものとして設定する。言い換えれば、受信端は相互に連結されたＳＤＵを同一のＳＤＵとみなし、ＳＤＵを誤って再組み立てする。
【０００７】
簡単に言えば、従来の技術ではヘッダ拡張タイプフィールドの特殊値の使用条件が正確に定義されていないので、受信端でＳＤＵを誤って再組み立てし、システムエラーを引き起こす場合がある。
【発明の開示】
【発明が解決しようとする課題】
【０００８】
本発明の主な目的は、前記従来の技術の欠点を改善するために、無線通信システムにおいてパケットヘッダを設定する方法及び装置を提供することにある。
【課題を解決するための手段】
【０００９】
本発明では、無線通信システムのＲＬＣ（無線リンク制御）層においてＰＤＵ（プロトコルデータユニット）のヘッダを設定する方法を掲示する。当該ヘッダはヘッダ拡張タイプフィールドを含む。当該方法は、「ヘッダ拡張タイプフィールドの特殊値使用」モードを起動する段階と、ＰＤＵの最後のオクテットがＳＤＵ（サービスデータユニット）の最後のオクテットであって、かつ当該ＰＤＵに相互に連結されたＳＤＵが含まれない場合に、ヘッダ拡張タイプフィールドをＰＤＵの最後のオクテットがＳＤＵの最後のオクテットであることを示すものとして設定する段階とを含む。
【００１０】
本発明では更に、無線通信システムにおいてＲＬＣ  ＰＤＵのヘッダを正確に設定するための通信装置を掲示する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、「ヘッダ拡張タイプフィールドの特殊値使用」モードを起動するコードと、ＰＤＵの最後のオクテットがＳＤＵの最後のオクテットであって、かつ当該ＰＤＵに相互に連結されたＳＤＵが含まれない場合に、ヘッダ拡張タイプフィールドをＰＤＵの最後のオクテットがＳＤＵの最後のオクテットであることを示すものとして設定するコードとを含む。
【発明を実施するための最良の形態】
【００１１】
かかる方法及び装置の特徴を詳述するために、具体的な実施例を挙げ、図を参照にして以下に説明する。
【００１２】
図４を参照する。図４は無線通信システム１０００を表す説明図である。無線通信システム１０００は第三世代移動通信システム、ＬＴＥ（ｌｏｎｇ  ｔｅｒｍ  ｅｖｏｌｕｔｉｏｎ）無線通信システム、または他の移動通信システムであり、概してネットワークと複数のＵＥ（ユーザー端末）から構成される。図４では、ネットワークとＵＥは無線通信システム１０００の構造を説明するに用いられ、実際、ネットワークは要求に応じて複数の基地局、ＲＮＣ（無線ネットワークコントローラー）を含みうる。ＵＥは携帯電話またはコンピュータシステムなどの装置である。
【００１３】
図１を参照する。図１は無線通信装置１００のブロック図である。無線通信装置１００は図４に示すＵＥまたはネットワークを実施するものである。説明を簡潔にするために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００１４】
図２を参照する。図２は図１に示すプログラムコード１１２を表す説明図である。プログラムコード１１２はアプリケーション層２００と、第三層インターフェイス２０２と第二層インターフェイス２０６を備え、第一層インターフェイス２１８と接続されている。信号を発するとき、第二層インターフェイス２０６は第三層インターフェイス２０２から出力されたデータに基づいて、複数のＳＤＵ２０８を形成してバッファ２１２に保存する。その後、第二層インターフェイス２０６はバッファ２１２に保存されたＳＤＵ２０８に基づいて複数のＰＤＵ２１４を生成し、これらのＰＤＵ２１４を第一層インターフェイスを通して送信先に出力する。それに反して、無線信号を受信するときは、第一層インターフェイス２１８で信号を受信し、受信した信号をＰＤＵ２１４として第二層インターフェイス２０６に出力する。第二層インターフェイス２０６はこのＰＤＵ２１４をＳＤＵ２０８に還元してバッファ２１２に保存する。最後に、第二層インターフェイス２０６はバッファ２１２に保存されたＳＤＵ２０８を第三層インターフェイス２０２に送信する。
【００１５】
無線通信装置１００がＡＭモードで動作する場合、第二層インターフェイス２０６（すなわちＲＬＣ層）のＰＤＵのヘッダは、次のオクテットがデータか、長さ指示フィールドと拡張ビットフィールドかを示す２ビットのヘッダ拡張タイプフィールドを含む。「ヘッダ拡張タイプフィールドの特殊値使用」モードの起動時、ヘッダ拡張フィールドの保留値は別の意味を有する。それに鑑みて、本発明の実施例では、ヘッダ拡張タイプフィールドを正確に設定するために、ヘッダ設定プログラムコード２２０を提供する。
【００１６】
図３を参照する。図３は本発明の実施例による方法３０を表す説明図である。下記方法３０は無線通信システム１０００のＲＬＣ層においてＰＤＵのヘッダを設定するために用いられる。当該ヘッダはヘッダ拡張タイプフィールドを含む。下記方法３０はヘッダ設定プログラムコード２２０としてコンパイルすることができる。
ステップ３００：開始。
ステップ３０２：「ヘッダ拡張タイプフィールドの特殊値使用」モードを起動する。
ステップ３０４：ＰＤＵの最後のオクテットがＳＤＵの最後のオクテットであって、かつ当該ＰＤＵに相互に連結されたＳＤＵが含まれない場合に、ヘッダ拡張タイプフィールドをＰＤＵの最後のオクテットがＳＤＵの最後のオクテットであることを示すものとして設定する。
ステップ３０６：終了。
【００１７】
以上のように、「ヘッダ拡張タイプフィールドの特殊値使用」モードの起動時、ＰＤＵの最後のオクテットがＳＤＵの最後のオクテットであって、かつ当該ＰＤＵに相互に連結されたＳＤＵが含まれない場合に、本発明の実施例ではヘッダ拡張タイプフィールドをＰＤＵの最後のオクテットがＳＤＵの最後のオクテットであることを示すものとして設定し、例えばヘッダ拡張タイプフィールドを「１０」に設定する。言い換えれば、「ヘッダ拡張タイプフィールドの特殊値使用」モードの起動時、ＰＤＵに相互に連結されたＳＤＵが含まれず、かつＳＤＵが当該ＰＤＵの終了位置に終わる場合に、本発明の実施例ではヘッダ拡張タイプフィールドを当該ＰＤＵの最後のオクテットがＳＤＵの最後のオクテットであることを示すものとして設定する。そうすると、他のＰＤＵで対応する長さ指示フィールドを送信する必要がなく、伝送データ量は節減される。
【００１８】
したがって、前記方法３０によれば、「ヘッダ拡張タイプフィールドの特殊値使用」モードの起動時、ＰＤＵの最後のオクテットがＳＤＵの最後のオクテットであって、かつ当該ＰＤＵに相互に連結されたＳＤＵが含まれない場合に、本発明の実施例ではヘッダ拡張タイプフィールドをＰＤＵの最後のオクテットがＳＤＵの最後のオクテットであることを示すものとして設定する。それに反して、ＰＤＵの最後のオクテットがＳＤＵの最後のオクテットであるが、当該ＰＤＵに相互に連結されたＳＤＵが含まれた場合に、本発明の実施例ではヘッダ拡張タイプフィールドをＰＤＵの最後のオクテットがＳＤＵの最後のオクテットであることを示すものとして設定しない。そうすると、受信端はＳＤＵを誤って再組み立てしない。
【００１９】
まとめていえば、「ヘッダ拡張タイプフィールドの特殊値使用」モードの起動時、ＰＤＵの最後のオクテットがＳＤＵの最後のオクテットであって、かつ当該ＰＤＵに相互に連結されたＳＤＵが含まれない場合に、本発明の実施例ではヘッダ拡張タイプフィールドをＰＤＵの最後のオクテットがＳＤＵの最後のオクテットであることを示すものとして設定する。そうすると、伝送データ量を節減し、受信端でＳＤＵを誤って再組み立てすることを回避することができる。
【００２０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２１】
【図１】無線通信装置のブロック図である。
【図２】図１に示すプログラムコードを表す説明図である。
【図３】本発明の実施例による方法のフローチャートである。
【図４】無線通信システムを表す説明図である。
【符号の説明】
【００２２】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層インターフェイス
２０６  第二層インターフェイス
２０８  ＳＤＵ
２１２  バッファ
２１４  ＰＤＵ
２１８  第一層インターフェイス
２２０  ヘッダ設定プログラムコード
１０００  無線通信システム
【図１】
2008289159.tif 000003
【図２】
2008289159.tif 000004
【図３】
2008289159.tif 000005
【図４】
2008289159.tif 000006